(57)【要約】      （修正有）【課題】イメージ印刷装置の処理速度を損ねることなしに、右上イメージ（印刷すべきイメージの正方向が右であるごときイメージを言う）の最比較可能上セクションの識別の正確度を増加するイメージ印刷方法とイメージ印刷装置を提供する。【解決手段】特定のデジタルイメージと指定文字／グラフを引き出し、該特定のデジタルイメージを処理して該特定のデジタルイメージの右上イメージに付随するイメージ情報を得て、該指定文字／グラフを自動的に調整して、かつイメージ情報に応じて該右上イメージに対して特定の位置に添付し、これにより特定のデジタルイメージと指定文字／グラフとを、プリンターや多機能周辺機器などの印刷装置の処理速度を損ねることなしに、印刷する。【選択図】図５
2008077637.tif 000002
【特許請求の範囲】
【請求項１】
イメージ印刷装置と一緒に使うイメージ処理方法であって、（ａ）特定のデジタルイメージと指定文字／グラフを引き出し、（ｂ）該特定のデジタルイメージを処理して、これにより該特定のデジタルイメージの右上イメージを伴ったイメージ情報を得て、（ｃ）該指定文字／グラフを自動的に調整してかつ該イメージ情報に応じて該右上イメージに対して特定の位置に添付し、これにより該特定のデジタルイメージと該指定文字／グラフとを印刷することを特徴とするイメージ処理方法。
【請求項２】
前記ステップ（ａ）の前に、有線または無線接続インターフェイスを介して前記イメージ印刷装置をデジタルイメージ捕捉装置またはデジタルイメージ記憶装置とを通信させることを特徴とする請求項１に記載の方法。
【請求項３】
前記イメージ印刷装置がプリンターまたは多機能周辺機器であり、前記デジタルイメージ捕捉装置がデジタルカメラまたはカメラフォーンであり、前記デジタルイメージ記憶装置がデジタルイメージ変換器または電子メモリーカードであることを特徴とする請求項２に記載の方法。
【請求項４】
前記ステップ（ａ）がさらに印刷設定引出しのサブステップを含んでいることを特徴とする請求項１に記載の方法。
【請求項５】
前記ステップ（ｂ）がさらに（ｂ１）前記デジタルイメージを少なくとも第１の領域と第２の領域に分割し、前記デジタルイメージのデジタルデータをグレイレベルに変換して前記第１のセクションの第１の平均グレイレベルと前記第２のセクションの第２の平均グレイレベルを得て、前記第１の平均グレイレベルを前記第２の平均グレイレベルと比較して、これにより前記右上イメージの第１の比較可能上セクションを識別して、（ｂ２）前記デジタルイメージを少なくとも第３の領域と第４の領域に分割し、前記デジタルイメージのデジタルデータをグレイレベルに変換して前記第３のセクションの第３の平均グレイレベルと前記第４のセクションの第４の平均グレイレベルを得て、前記第３の平均グレイレベルを前記第４の平均グレイレベルと比較して、これにより前記右上イメージの第２の比較可能上セクションを識別して、（ｂ３）前記第１の比較可能上セクションのグレイレベルを前記第２の比較可能上セクションと比較して、これにより前記右上イメージの最比較可能上セクションを前記イメージ情報として識別するサブステップを含んでいることを特徴とする請求項１に記載の方法。
【請求項６】
前記サブステップ（ｂ１）中の第１の分割線により前記デジタルイメージを前記第１の領域と前記第２の領域とに分割し、前記サブステップ（ｂ２）中の第２の分割線により前記デジタルイメージを前記第３の領域と前記第４の領域とに分割し、前記第１の分割線が前記第２の分割線に対して実質的に垂直であることを特徴とする請求項５に記載の方法。
【請求項７】
前記ステップ（ｃ）がさらに選択的に前記デジタルイメージを少なくとも９０度回転するサブステップを含んでいることを特徴とする請求項１に記載の方法。
【請求項８】
前記ステップ（ｃ）がさらに（ｃ１）前記指定文字／グラフが添付された前記特定の位置の平均グレイレベルを決定し、（ｃ２）前記特定の位置の平均グレイレベルに応じて前記指定文字／グラフを増強し、（ｃ３）前記増強された文字／グラフを前記特定の位置に自動的に添付するサブステップを含んでいることを特徴とする請求項１に記載の方法。
【請求項９】
前記指定文字／グラフを増強する前記ステップにおいて、指定文字の色または鮮鋭度を調節し、および／または指定文字にフレームまたは影を追加することを特徴とする請求項８に記載の方法。
【請求項１０】
イメージ印刷装置に用いるイメージ処理方法であって、（ａ）特定のデジタルイメージと指定文字／グラフとを引き出し、（ｂ）前記特定のデジタルイメージを処理して、これにより該特定のデジタルイメージの右上イメージに付随するイメージ情報を得て、（ｃ）前記イメージ情報に応じて前記指定文字／グラフを自動的に増強し、前記右上イメージに対して特定の位置に前記増強された文字／グラフを添付し、前記特定のデジタルイメージと前記指定文字／グラフとを印刷することを特徴とする方法。
【請求項１１】
前記指定文字／グラフを増強する前記ステップにおいて、前記指定文字の色または鮮鋭度を調節し、および／または前記指定文字にフレームまたは影を追加することを特徴とする請求項１０に記載の装置。
【請求項１２】
デジタルイメージ捕捉装置またはデジタルイメージ記憶装置と通信するイメージ印刷装置であって、処理ユニットと記憶ユニットと印刷ユニットとを有しており、該処理ユニットは前記デジタルイメージ捕捉装置または前記デジタルイメージ記憶装置と通信して前記デジタルイメージ捕捉装置または前記デジタルイメージ記憶装置からの特定のデジタルイメージおよび指定文字／グラフを引き出し・処理し、前記記憶ユニットは前記処理ユニットと接続されて前記特定のデジタルイメージと前記指定文字／グラフとを記憶し、前記印刷ユニットは前記処理ユニットに接続されて前記処理ユニットにより制御されて前記処理された特定のデジタルイメージと前記処理された指定文字／グラフを印刷し、前記処理ユニットがイメージ処理プロセスを行い、該プロセスが（ａ）前記特定のデジタルイメージと前記指定文字／グラフとを引き出し、（ｂ）前記特定のデジタルイメージを処理して、これにより前記特定のデジタルイメージの右上イメージに付随するイメージ情報を得ることを特徴とするイメージ印刷装置。
【発明の詳細な説明】
【技術分野】
【０００１】
この発明はイメージ処理方法に関するものであり、特に指定文字／グラフをイメージ上に自動的に添付する方法に関するものである。またこの発明はそのような、イメージ処理方法を用いたイメージ印刷装置に関するものである。
【背景技術】
【０００２】
イメージ処理技術のますますの発展と共にデジタルスチルカメラなどのデジタルイメージ捕捉装置は大きな進歩と急速な普遍化を経験してきた。これらのデジタルイメージ捕捉装置は携帯可能で便利なので、われわれの日常生活において欠かすことのできない電子装置となっている。一般に、デジタルイメージ捕捉装置により捕捉されたデジタルイメージはＬＣＤスクリーンなどのスクリーン上に表示されるか、またはプリンターや多機能周辺機器などのイメージ印刷装置により直接出力される。
【０００３】
従来デジタルイメージ捕捉装置により捕捉されたデジタルイメージデータはコンピューターに送信されてコンピューターにより選択的に処理されている。特定のイメージ処理ソフトウェアの実行に応答して、処理されたデジタルイメージデータは印刷のためにそれに接続されたイメージ印刷装置に送信される。残念なことにコンピューターの操作インターフェイスは非常に複雑であり、特に教育程度の低い使用者にはそうである。複雑な操作インターフェイスはデジタルイメージ補足装置の使用の障害となる。
【０００４】
使用者がコンピューターの操作に習熟している場合でも、イメージ処理ソフトウェアの操作の学習の処理と所望の印刷パラメーターを選択するのは使用者にとってフレンドリーなものではない。２００２年の１２月にプリンターとデジタルカメラの製造者等は協力して直接印刷標準（ＤＰＳ）を公表してイニシアチブから結果された商業的な製品は「ＰｉｃｔＢｒｉｄｇｅ」と言われている。この仕様書「ＰｉｃｔＢｒｉｄｇｅ」によりコンピューターの助けなしにデジタルカメラはプリンターに接続でき、イメージをデジタルカメラからプリンターに直接送信できる。
【０００５】
図１を参照されたい。ＰｉｃｔＢｒｉｄｇｅを使ってイメージがデジタルイメージ捕捉装置１２により捕捉された後、該デジタルイメージ捕捉装置１２はプリンター１１にＵＳＢケーブル１３により接続される。ＰｉｃｔＢｒｉｄｇｅはすべての細かいことを扱う。いかなるブランドのカメラやプリンターを使うかは問題ではない。この結果、コンピューターの助けなしにデジタルイメージデータはデジタルイメージ捕捉装置１２から直接印刷される。
【０００６】
プリンター１１とデジタルイメージ捕捉装置１２のブランドに応じて直接印刷の機能は変化する。デジタルイメージ捕捉装置１２により取られた写真の直接印刷の機能に加えて、プリンター１１は他の拡張機能を有している。
【０００７】
例えば、日付け、ファイル名および／またはイメージ索引などの指定文字／グラフは自動的に特定の写真に添付できる。加えてメディアサイズおよびイメージサイズはプリンター１１により特定できる。例えば、１つのデジタルイメージを一枚のＡ４版用紙に印刷できるし、数個の異なるデジタルイメージを一枚のＡ４用紙に印刷でき、同じ絵の数枚のコピーを同時に印刷することもできる。
【０００８】
以下図２、および図１により指定文字／グラフを特定イメージ上に自動的に添付するプロセスを示す。まずデジタルイメージ捕捉装置１２はＵＳＢケーブル１３を介してプリンター１１に接続される（ステップＳ１１）。ついで指定文字／グラフが特定のイメージ上に添付され、プリンター１１により印刷設定が引き出される（ステップＳ１２）。
【０００９】
ついで印刷されるべきデジタルイメージがプリンター１１により引き出される（ステップＳ１３）。その後プリンター１１によりデジタルイメージが少なくとも９０度回転され、指定文字／グラフが調節されたデジタルイメージの特定な位置上に添付され、ついでデジタルイメージと指定文字／グラフとが一緒に印刷される（ステップＳ１４）。一般に、少なくとも９０度デジタルイメージを回転させる方法は調節されたイメージを最大または最適化する。特定の位置は調節されたイメージの固定コーナーである。
【００１０】
例えば図３Ａに示すように、デジタルイメージ捕捉装置１２により取られたまたは捕捉されたイメージは一枚のＡ４版用紙に印刷されるべく選択される。ステップＳ１４において、選択されたイメージは少なくとも９０度回転され、指定文字／グラフは特定位置Ａ上、例えば下右隅に添付される。
【００１１】
残念なことにイメージに対する指定文字／グラフの位置はしばしば望みのものではない。例えば図３Ｂに示すように、イメージが取られたり捕捉されたりする前にデジタルイメージ捕捉装置１２が時計方向に９０度回転されている。ステップＳ１４において、選択されたイメージも少なくとも９０度回転され指定文字／グラフが特定位置Ａ上、例えば下右隅に添付される。一般にこの場合におけるイメージに対する指定文字／グラフの位置は位置不良と考えられる。
【００１２】
前記したように、特定のイメージ上に指定文字／グラフを自動的に添付する従来のプロセスには数々の欠点がある。例えば、選択されたイメージの配列が確認されず、指定文字／グラフが固定位置に添付されるので、イメージに対する指定文字／グラフの位置は通常好ましくない。加えて、イメージの背景色が輝度において不均一な可能性もあり、指定文字／グラフの色が背景色に近くなることもあるので、指定文字／グラフが認識できなくなることもあるだろう。
【発明の開示】
【発明が解決しようとする課題】
【００１３】
この発明の目的は、イメージ印刷装置の処理速度を損ねることなしに、右上イメージ（印刷すべきイメージの正方向が右であるごときイメージを言う）の最比較可能上セクションの識別の正確度を増加するイメージ印刷方法とイメージ印刷装置を提供することにある。
【００１４】
この発明の他の目的は特定の位置の平均グレイレベルに応じて指定文字／グラフを自動調節または増強するイメージ印刷方法とイメージ印刷装置とを提供して、指定文字／グラフをより認識可能にすることにある。
【課題を解決するための手段】
【００１５】
この発明の第１の技術思想によれば、イメージ印刷装置と一緒に使用するイメージ処理方法が提案されており、該方法においては、（ａ）特定のデジタルイメージと指定文字／グラフとを引き出し、（ｂ）特定のデジタルイメージを処理して、これにより特定のデジタルイメージの右上イメージに付随するイメージ情報を得て、（ｃ）イメージ情報に応じて右上イメージに対して特定の位置上に指定文字／グラフを自動的に調節し添付するものであり、これにより特定のデジタルイメージと指定文字／グラフとを印刷するものである。
【００１６】
この発明の他の技術思想によれば、イメージ印刷装置と一緒に用いるイメージ処理方法が提案されており、該方法においては、（ａ）特定のデジタルイメージと指定文字／グラフとを引き出して、（ｂ）特定のデジタルイメージを処理してこれにより特定のデジタルイメージの右上イメージに付随するイメージ情報を得て、（ｃ）またイメージ情報に応じて指定文字／グラフを自動的に増強し、右上イメージに対する特定の位置に増強された文字／グラフを添付し、これにより特定のデジタルイメージと指定文字／グラフとを印刷するものである。
【００１７】
この発明のさらに他の技術思想によれば、イメージ印刷装置が提案されており、該装置は処理ユニットと記憶ユニットと印刷ユニットとを有している。処理ユニットはデジタルイメージ捕捉装置またはデジタルイメージ記憶装置と通信して、デジタルイメージ捕捉装置またはデジタルイメージ記憶装置からの特定のデジタルイメージまたは指定文字／グラフを引き出して処理する。記憶ユニットは処理ユニットに接続されて特定デジタルイメージおよび指定文字／グラフを記憶する。印刷ユニットは処理ユニットに接続されて処理装置に制御されて、処理された特定デジタルイメージおよび処理された指定文字／グラフを印刷する。処理ユニットは（ａ）特定デジタルイメージと指定文字／グラフとを引き出して、（ｂ）特定デジタルイメージを処理して、これにより特定デジタルイメージの右上イメージに付随するイメージ情報を得るというステップを含んだイメージ処理プロセスを実行する。
【実施例】
【００１８】
この発明におけるイメージ印刷装置とデジタルイメージ捕捉装置またはデジタルイメージ記憶装置との間の接続を示す図４において、イメージ印刷装置２１はデジタルイメージ捕捉装置２２またはデジタルイメージ記憶装置２３と有線接続インターフェイス２４または無線接続インターフェイス２５を介して通信する。
【００１９】
ある実施例では、イメージ印刷装置２１はプリンターまたは多機能周辺機器であり、デジタルイメージ捕捉装置２２はデジタルカメラまたはカメラフォーン（カメラが組み込まれた携帯電話）であり、デジタルイメージ記憶装置２３はデジタルイメージ変換器である。イメージ印刷装置２１、デジタルイメージ捕捉装置２２およびデジタルイメージ記憶装置２３は直接印刷機能を有している。イメージ印刷装置２１、デジタルイメージ捕捉装置２２またはデジタルイメージ記憶装置２３の操作インターフェイスを介して直接印刷処理および指定文字／グラフを特定イメージ上に自動添付する処理が行われる。
【００２０】
ある実施例では、イメージ印刷装置はカード読取り器を有したプリンターまたは多機能周辺機器であり、デジタルイメージ記憶装置２３は電子メモリーカードである。この環境では、デジタルイメージと指定文字／グラフとは電子記憶カードに記憶できる。イメージ印刷装置２１の操作インターフェイスを介して、直接印刷処理と特定イメージへの指定文字／グラフの自動添付処理が行われる。有線接続インターフェイス２４の一例はＵＳＢケーブルであり、無線接続インターフェイス２５は例えばブルートゥース（Ｂｌｕｅｔｏｏｔｈ）装置または無線ネットワークを含むものである。
【００２１】
再び図４において、イメージ印刷装置２１は主として処理ユニット２１１、記憶ユニット２１２および印刷ユニット２１３を有している。処理装置２１１はデジタルイメージ捕捉装置２２またはデジタルイメージ記憶装置２３と通信する。デジタルイメージ捕捉装置２２またはデジタルイメージ記憶装置２３に捕捉または記憶されたデジタルイメージおよび指定文字／グラフは処理ユニット２１１に送信されて処理ユニット２１１により処理される。記憶ユニット２１２は処理ユニット２１１に接続されてデジタルイメージおよび指定文字／グラフを記憶する。印刷ユニット２１３は処理ユニット２１１に接続されている。処理ユニット２１１による制御の下に、印刷ユニット２１３は調節されたイメージを指定文字／グラフと一緒に印刷する。
【００２２】
以下図５および図４により、この発明により特定イメージ上に指定文字／グラフを自動添付するプロセスを説明する。
【００２３】
まず最初に、有線接続インターフェイス２４または無線接続インターフェイス２５を介してデジタルイメージ捕捉装置２２（例えばデジタルカメラ）がイメージ印刷装置２１（例えばプリンターまたは多機能周辺機器）に接続される（ステップＳ２１）。ついで、デジタルイメージ、特定デジタルイメージ上に添付される指定文字／グラフおよび印刷設定がイメージ印刷装置２１により引き出される（ステップＳ２２）。
【００２４】
ついで特定イメージがイメージ印刷装置２１により処理されて、右上イメージに付随するイメージ情報が得られる（ステップＳ２３）。右上イメージに付随する情報に応じて、指定文字／グラフが自動画像回転により、右上イメージに対して特定の位置に添付される（ステップＳ２４）。上記のステップはデジタルイメージ捕捉装置２２がデジタルイメージ記憶装置２３に置き換えられても同じである。
【００２５】
ステップＳ２３は図６および図７に示すサブステップＳ２３１、Ｓ２３２およびＳ２３３を含んでいる。
【００２６】
ステップＳ２３１において、図７Ａに示すように、特定イメージが第１のセクションＡ１と第２のセクションＡ２に第１の分割線Ｌ１により分割される。特定イメージのデジタルデータがグレイレベルに変換され、第１のセクションＡ１の第１の平均グレイレベルＧｒａｙ（Ａ１）と第２のセクションＡ２の第２の平均グレイレベルＧｒａｙ（Ａ２）が得られる。
【００２７】
一般には、グレイレベルＧｒａｙ（Ａ１）とＧｒａｙ（Ａ２）とは完全黒（レベル０）から完全白（レベル２５５）の範囲にある。グレイレベルが大きいと白強度が大きい。グレイレベルが小さいと黒強度が大きい。
【００２８】
ついで第１のセクションＡ１の第１の平均グレイレベルＧｒａｙ（Ａ１）が第２のセクションＡ２の第２の平均グレイレベルＧｒａｙ（Ａ２）と比較される。第１の平均グレイレベルＧｒａｙ（Ａ１）が第２の平均グレイレベルＧｒａｙ（Ａ２）より大きいと、第１セクションＡ１は右上イメージの第１の比較可能上セクションと看做される。逆に第２の平均グレイレベルＧｒａｙ（Ａ２）が第１の平均グレイレベルＧｒａｙ（Ａ１）よりも大きいと、第２のセクションＡ２が右上イメージの第１の比較可能上セクションと看做される。
【００２９】
出力された画像はサイズが方形であるから、右側は方形画像の４側のひとつである。全んどの場合において、人間、景色または対象物のイメージを撮影または捕捉するには屋内外を問わず光源が必要である。一般に太陽光またはランプなどの光源は撮影のために人間、景色または対象物の上方に設けられている。つまり右上イメージの上セクションは下セクションよりもより明るい。この結果、右上イメージの第１の比較可能上セクションは当初それらの２個の領域Ａ１，Ａ２のグレイレベルを比較することにより識別できる。
【００３０】
ステップＳ２３２において、図７Ｂに示すように、特定イメージが第３のセクションＢ１と第４のセクションＢ２とに第２の分割線Ｌ２により分割される。この実施例においては、第２の分割線Ｌ２は第１の分割線Ｌ１に対して垂直である。同様に、特定イメージのデジタルデータはグレイレベルに変換される。これにより第３のセクションＢ１の第３の平均グレイレベルＧｒａｙ（Ｂ１）と第４のセクションＢ２の第４の平均グレイレベルＧｒａｙ（Ｂ２）が得られる。
【００３１】
第３のセクションＢ１の第３の平均グレイレベルＧｒａｙ（Ｂ１）が第４のセクションＢ２の第４の平均グレイレベルＧｒａｙ（Ｂ２）と比較される。第３の平均グレイレベルＧｒａｙ（Ｂ１）が第４の平均グレイレベルＧｒａｙ（Ｂ２）より大なら第３のセクションＢ１は右上イメージの第２の比較可能上セクションと看做される。逆に第４の平均グレイレベルＧｒａｙ（Ｂ２）が第３の平均クレイレベルＧｒａｙ（Ｂ１）より大ならば、第４のセクションＢ２が右上イメージの第２の比較可能上セクションと看做される。この結果、右上イメージの第２の比較可能上セクションは当初それら２個の領域Ｂ１、Ｂ２のグレイレベルを比較することにより識別される。
【００３２】
続いてステップＳ２３３において、（ステップＳ２３１で得られた）第１の比較可能上セクションの平均グレイレベルが、（ステップＳ２３２で得られた）第２の比較可能上セクションの平均グレイレベルと比較される。つまり第１のセクションＡ１の第１の平均グレイレベルＧｒａｙ（Ａ１）が第３のセクションＢ１の第３の平均グレイレベルＧｒａｙ（Ｂ１）より大なら、第１のセクションＡ１が右上イメージの最比較可能上セクションと看做される。第３のセクションＢ１の第３の平均グレイレベルＧｒａｙ（Ｂ１）が第１のセクションＡ１の第１の平均グレイレベルＧｒａｙ（Ａ１）より大なら、第３のセクションＢ１が右上イメージの最比較可能上セクションと看做される。一方、右上イメージの最比較可能上セクションに付随する情報が決定される。
【００３３】
以上の右上イメージの最比較可能上セクションに付随するイメージ情報を識別する処理は非常に便利でありかつ簡単である。加えて最比較可能上セクション識別の正確さは、イメージ印刷装置２１の処理ユニット２１１の処理速度を損ねることなしに、非常に増加される。右上イメージの最比較可能上セクションが決定されるので、右上イメージに対する指定文字／グラフの位置は正しく決定される。
【００３４】
前記したように、指定文字／グラフの色が背景色に近いと、指定文字／グラフを認識できなくなる。この問題を解決するために、図８に示すように、ステップＳ２４はさらにサブステップＳ２４１、Ｓ２４２、Ｓ２４３を含んでいる。ステップＳ２４１において、指定文字／グラフが添付される特定位置の平均グレイレベルが決定される。ステップＳ２４２において、特定位置の平均グレイレベルに応じて指定文字／グラフが自動的に調節または増強される。調節または増強処理においては、指定文字の色または鮮鋭度を調節しおよび／または指定文字に影またはフレームを追加する。ステップＳ２４３において、調節または増強された文字／グラフが特定位置に添付される。図９に指定文字／グラフとともに右上イメージの典型的な出力画像を示す。
【００３５】
以上の記載からして、この発明のイメージ印刷方法と装置を使うことにより、最比較可能上セクションの識別の正しさが、イメージ印刷装置の処理速度を損ねることなしに、大きく増強される。さらに指定文字／グラフが特定位置の平均グレイレベルに応じて自動的に調節または増強され得る。指定文字の色または鮮鋭度が調節されおよび／またはフレームまたは影が指定文字に追加されて、指定文字／グラフがより認識しやすくなる。
【産業上の利用可能性】
【００３６】
この発明はイメージ処理技術の分野において広く利用され得るものである。
【図面の簡単な説明】
【００３７】
【図１】従来技術のイメージ印刷装置とデジタルイメージ捕捉装置との間の接続を示す図である。
【図２】従来技術における指定文字／グラフを特定イメージに自動添付するプロセスのフローチャートである。
【図３Ａ】従来技術において一枚のＡ４版用紙に印刷するべく選ばれたイメージを示す図である。
【図３Ｂ】従来技術において一枚のＡ４版用紙に印刷するべく選ばれた他のイメージを示す図である。
【図４】この発明の一実施例においてイメージ印刷装置とデジタルイメージ捕捉装置またはデジタルイメージ記憶装置間の接続を示す図である。
【図５】この発明の一実施例において特定イメージに指定文字／グラフを自動添付するプロセスを示すフローチャートである。
【図６】右上イメージに付随するイメージ情報を得るサブステップを示すフローチャートである。
【図７Ａ】第１の分割線Ｌ１により特定イメージの第１のセクションＡ１と第２のセクションＡ２への分割を示す図である。
【図７Ｂ】第２の分割線Ｌ２により特定イメージの第３のセクションＢ１と第４のセクションＢ２への分割を示す図である。
【図８】指定文字／グラフの増強のサブステップを示すフローチャートである。
【図９】この発明において一枚のＡ４版用紙に印刷するべく選ばれたイメージを示す図である。
【符号の説明】
【００３８】
１１    プリンター
１２    デジタルイメージ捕捉装置
２１    イメージ印刷装置
２２    デジタルイメージ捕捉装置
２３    デジタルイメージ記憶装置
【図１】
2008077637.tif 000003
【図２】
2008077637.tif 000004
【図３Ａ】
2008077637.tif 000005
【図３Ｂ】
2008077637.tif 000006
【図４】
2008077637.tif 000007
【図５】
2008077637.tif 000008
【図６】
2008077637.tif 000009
【図７Ａ】
2008077637.tif 000010
【図７Ｂ】
2008077637.tif 000011
【図８】
2008077637.tif 000012
【図９】
2008077637.tif 000013